(57)【要約】【課題】アドレス情報を提供する複数の装置が互いに近接して配置されていてもユーザが簡単に所望のアドレス情報を取得して、このアドレス情報に基づいて通信網から情報を取得することができる情報提供システムを提供する。【解決手段】この情報提供システムは、通信網に接続された管理装置と、通信網に接続可能な情報提供者側端末装置と、通信網から独立したアドレス情報提供装置と、通信網に接続可能な情報閲覧者側端末装置とを有している。アドレス情報は、通信網を介さずに情報提供者側端末装置からアドレス情報提供装置へ渡され、このアドレス情報提供装置から情報閲覧者側端末装置へと渡される。情報閲覧者側端末装置は、このアドレス情報を用いて展示物に関する情報を取得する。【選択図】　　図４
2004078277.tif 000002
【特許請求の範囲】
【請求項１】
通信網から独立した通信経路を用いて少なくとも一のアドレス情報を送信するステップと、
送信されたアドレス情報を記憶するステップと、
記憶されているアドレス情報の送信を要求するステップと、
前記送信の要求に応じて、記憶したアドレス情報の内、少なくとも一のアドレス情報を通信網から独立した通信経路を用いて送信するステップと、
前記アドレス情報を通信網から独立した通信経路を介して受け取り、このアドレス情報に基づいて情報を通信網から取得するステップと
を有することを特徴とする、情報提供方法。
【請求項２】
請求項１に記載の情報提供方法において、前記アドレス情報は、電話番号、ファクス番号および電子メールアドレスのうち、少なくとも一つを含むことを特徴とする、情報提供方法。
【請求項３】
請求項１に記載の情報提供方法において、
前記送信するステップにおいて、記憶したアドレス情報から所定の条件に応じて少なくとも一のアドレス情報を選択し、選択されたアドレス情報を送信する
ことを特徴とする、情報提供方法。
【請求項４】
請求項３に記載の情報提供方法において、
前記所定の条件は、時刻及びアドレス情報の送信回数の少なくとも一方であることを特徴とする、情報提供方法。
【請求項５】
請求項１に記載の情報提供方法において、
この情報提供方法はさらに、
アドレス情報を送信する権限の認証要求を送信するステップと、
前記認証要求に応じて、アドレス情報を送信する権限の有無を判定し、判定結果を送信するステップと
を有し、
送信された判定結果がアドレス情報を送信する権限を認める場合は、前記アドレス情報を送信するステップを実行し、一方、送信された判定結果がアドレス情報を送信する権限を認ない場合は、前記アドレス情報を送信するステップを実行しない
ことを特徴とする、情報提供方法。
【請求項６】
請求項１に記載の情報提供方法において、
この情報提供方法はさらに、アドレス情報に基づいた情報の取得を通知するステップを有することを特徴とする、情報提供方法。
【請求項７】
通信網から独立したアドレス情報提供装置を用いる情報提供システムにおいて、
通信網に接続された管理装置と、
通信網に接続可能な情報提供者側端末装置と、
通信網から独立したアドレス情報提供装置と、
通信網に接続可能な情報閲覧者側端末装置と
を有し、
情報提供者側端末装置は、管理装置にアドレス情報提供装置にアドレス情報の書込を行う権限の認証を要求し、アドレス情報の書込を行う権限の認証が認証された場合アドレス情報提供装置にアドレス情報を送信し、アドレス情報提供装置に送信したアドレス情報及びアドレス情報を送信したアドレス情報提供装置を特定する情報を管理装置に送信し、
アドレス情報提供装置は、情報提供者側端末装置からアドレス情報を受信してこれを記憶し、情報閲覧者側端末装置からのアドレス情報送信要求に応じて記憶したアドレス情報を前記情報閲覧者側端末装置に送信し、
前記情報閲覧者側端末装置は、アドレス情報提供装置にアドレス情報送信要求を送信し、アドレス情報提供装置から送信されたアドレス情報を受信し、このアドレス情報に基づいて情報を通信網を介して取得し、管理装置にこのアドレス情報に基づいた情報の取得を通知し、
管理装置は、アドレス情報の書込を行う権限の認証要求に対して、権限の有無を判定して情報提供者側端末装置に通知し、情報提供者側端末装置から送信されるアドレス情報提供装置アドレス情報に基づいた情報の取得の通知を記憶する
ことを特徴とする、情報提供システム。
【請求項８】
通信網から独立したアドレス情報提供装置を用いて情報提供を行うための情報提供者側端末装置において、
アドレス情報提供装置と送受信するための送受信部と、
通信網を介して送受信するための通信処理部と、
アドレス情報の書込を行う権限の認証の要求を通信処理部を介して送信し、アドレス情報の書込を行う権限の認証が認証された場合アドレス情報提供装置にアドレス情報を送信する情報設定処理部と
を有することを特徴とする、情報提供者側端末装置。
【請求項９】
請求項８に記載の情報提供者側端末装置において、
情報設定処理部は、アドレス情報提供装置に送信した情報を通信処理部に送信させる
ことを特徴とする、情報提供者側端末装置。
【請求項１０】
通信網から独立したアドレス情報提供装置において、
アドレス情報を含むデータの送受信を行う送受信部と、
アドレス情報を記憶する情報記憶部と、
送受信部からアドレス情報を受け取り、これを情報記憶部に書き込む情報書込処理部と、
送受信部からアドレス情報送信要求を受け取り、この要求に応じて情報記憶部からアドレス情報を読み出し、送受信部を介してこのアドレス情報を送信する情報読出処理部と
を有することを特徴とする、アドレス情報提供装置。
【請求項１１】
請求項１０に記載のアドレス情報提供装置において、
前記情報読出処理部は、情報記憶部に記憶された複数のアドレス情報から、所定の条件に合致する少なくとも一のアドレス情報を選択し、選択されたアドレス情報を送受信部に送信させる
ことを特徴とする、アドレス情報提供装置。
【請求項１２】
請求項１１に記載のアドレス情報提供装置において、
前記所定の条件は、時刻及びアドレス情報の送信回数の少なくとも一方であることを特徴とする、アドレス情報提供装置。
【請求項１３】
通信網から独立したアドレス情報提供装置を用いて情報を取得するための情報閲覧者側端末装置において、
アドレス情報提供装置と送受信する送受信部と、
通信網を介して送受信する通信処理部と、
アドレス情報の送信要求を、送受信部を介してアドレス情報提供装置に送信し、アドレス情報提供装置から送受信部を介してアドレス情報を受信するアドレス情報取得部と、
アドレス情報取得部からアドレス情報を受け取り、このアドレス情報に対応する情報を通信網から取得する情報取得部と、
アドレス情報取得部がアドレス情報を取得すると、通信処理部を介してアドレス情報の取得の通知を送信する情報取得通知部と
を有することを特徴とする、情報閲覧者側端末装置。
【請求項１４】
通信網から独立したアドレス情報提供装置を用いて情報を提供するための管理装置において、
アドレス情報提供装置にアドレス情報の書込を行う権限の認証要求に対して、権限の有無を判定して通知するための情報提供者認証部と、
アドレス情報提供装置に記憶されたアドレス情報を取得した場合に送信されるアクセスログ情報を受信し、これを記憶するためのアクセスログ取得部と
を有することを特徴とする、管理装置。
【請求項１５】
請求項１４に記載の管理装置において、
アドレス情報提供装置に書き込みした情報を情報提供者側端末装置から通信網を介して受信し、これを記憶させるアドレス情報提供装置情報管理部をさらに有する、ことを特徴とする管理装置。
【請求項１６】
請求項１から６までのいずれかに記載の情報提供方法を、コンピュータに実行させるためのプログラム。
【請求項１７】
情報処理装置を請求項８若しくは９に記載の情報提供者側端末装置として機能させるためのプログラム。
【請求項１８】
情報処理装置を請求項１０から１２のいずれかに記載のアドレス情報提供装置として機能させるためのプログラム。
【請求項１９】
情報処理装置を請求項１３に記載の情報閲覧者側端末装置として機能させるためのプログラム。
【請求項２０】
情報処理装置を請求項１４又は１５に記載の管理装置として機能させるためのプログラム。
【請求項２１】
請求項１６から２０までのいずれかに記載のプログラムを格納した、コンピュータ読み取り可能なプログラム記録媒体。
【発明の詳細な説明】
【０００１】
【発明の属する技術分野】
本発明は、通信網から独立したアドレス情報提供装置を用いる情報提供方法、情報提供システム、情報提供者側端末装置、アドレス情報提供装置、情報閲覧者側端末装置、管理装置、これらのプログラム並びにプログラム記録媒体に関する。
【０００２】
【従来の技術】
近年における通信インフラの充実、および半導体装置の高性能化、小型化などに伴って、携帯電話器、ＰＤＡ（Ｐｅｒｓｏｎａｌ　Ｄａｔａ　Ａｓｓｉｓｔａｎｔ）などの通信機能を有する情報処理装置（以下、「情報端末装置」という）が一般ユーザに広く普及するようになってきた。
【０００３】
このような情報端末装置と屋外看板などの展示物を組み合わせて、展示物にＵＲＬを付記しておき、ユーザがこのＵＲＬに基づいてＷＷＷのサイトにアクセスしてもらい、より詳しい情報をユーザに提供する方法が試みられていた。しかし、情報端末装置にＵＲＬを入力することには煩わしいなどの理由により、その利用はあまり促進されなかった。そこで、ＵＲＬのようなアドレス情報をユーザの情報端末装置に送信する装置（以下、アドレス情報提供装置という）を展示物に設け、ユーザは情報端末装置でこれを受信することによりＵＲＬを手入力することなくＷＷＷのサイトにアクセスし、詳細な情報を取得できる方法が提案されるようになった。
【０００４】
例えば、特表２００１−５１２８６４号公報は、広告掲示板に短距離送信機能を有するローカルエージェント（アドレス情報提供装置）と車載の移動体通信情報端末機とを用いた、インターネット情報をユーザに提供するシステムを開示している。このシステムでは、ローカルエージェントは、ユーザに移動体通信情報端末機を用いてインターネットから種々の情報を収集させ、閲覧させるため、ＵＲＬ（Ｕｎｉｑｕｅ　Ｒｅｓｏｕｒｃｅ　Ｌｏｃａｔｏｒ）を一斉送信し、移動体通信情報端末機はこのＵＲＬを受信するとＷＷＷ（Ｗｏｒｌｄ　Ｗｉｄｅ　Ｗｅｂ）よりＷＷＷドキュメントを取得して表示する。
【０００５】
また、特開２００２−４１９６１号公報は、駅や車内で電子化した広告データを表示する広告表示端末（アドレス情報提供装置）とユーザが携帯する移動端末とを用いて、車内の広告に重要な情報が記載されていても、メモや暗記の必要がなく、閲覧が容易であり、広告の張替や一定期間ごとの変更があっても、検索が容易である広告配信システムを開示している。このシステムでは、広告サーバからインターネットと長距離用無線を介して広告を広告表示端末に配信する。現在または過去に表示された広告を閲覧したいとき、ユーザは移動端末から広告表示端末に対して長距離用無線を用いて所望の広告情報を受信する。それに基づいて、移動端末から通信網を介して広告サーバに所望広告の閲覧を要求すると、広告サーバからその移動端末に広告リストが送られ、ユーザが選択された広告データを広告サーバから受け取り、移動端末に表示する。
【０００６】
【発明が解決しようとする課題】
上記ローカルエージェントがＵＲＬを一斉送信し、移動体通信情報端末機がこのＵＲＬを受信してＷＷＷドキュメントを取得して表示する方法は、複数のローカルエージェントによるＵＲＬ送信範囲内に移動体通信情報端末が位置する場合に、受信したＵＲＬがどのローカルエージェントから送信されたものか区別できないおそれがある。また、ユーザがある特定の展示物についてのＵＲＬを取得したい場合、送信されるＵＲＬビーコンを移動体通信情報端末機が所望のローカルエージェントからのＵＲＬを選択して受信できるようにする必要が生じる。例えば、ローカルエージェント毎にＵＲＬ送信周波数を変えたり、ＵＲＬ送信のタイミングを制御してローカルエージェント毎に異なるタイミングで送信することが考えられる。しかし、このよう選択的に受信するためには、ローカルエージェント及び移動体通信情報端末機の構成が複雑になる。
【０００７】
また、特開２００２−４１９６１号公報に記載の技術では、広告端末が通信通信網に接続されている必要があるが、広告端末の設置場所に通信通信網・インフラが設けられていない場合は、新たに通信網に接続するためのケーブルの敷設や無線基地局の設置が必要となり、安価且つ簡便に広告端末を所望の場所に設置することが難しい。
【０００８】
本発明の目的は、複数のアドレス情報提供装置が互いに近接して配置されていてもユーザが簡単に所望のアドレス情報提供装置からアドレス情報を取得して、このアドレス情報に基づいて通信網から情報を取得することができる情報提供システムを提供することを目的とする。
【０００９】
本発明の別の目的は、通信網環境のない場所においても使用可能なアドレス情報提供装置を用いることにより、任意の場所にアドレス情報提供装置を設置可能な、情報提供システムを提供することを目的とする。
【００１０】
本発明の更に別の目的は、数種類のアドレス情報から、条件に応じていずれかを選択してユーザの情報端末装置に提供することにより、動的な情報配信を行うことが可能な、情報提供システムを提供することを目的とする。
【００１１】
【課題を解決するための手段】
上記課題を解決するための手段として、本発明は以下のような特徴を有する。
【００１２】
本発明の第１の態様は、通信網から独立した通信経路を用いて少なくとも一つのアドレス情報を送信するステップと、送信されたアドレス情報を記憶するステップと、記憶されているアドレス情報の送信を通信網から独立した通信経路を用いて要求するステップと、前記送信の要求に応じて、記憶したアドレス情報の内、少なくとも一のアドレス情報を通信網から独立した通信経路を用いて送信するステップと、送信されたアドレス情報を受け取り、このアドレス情報に基づいて情報を通信網から取得するステップとを有することを特徴とする情報提供方法である。このアドレス情報の記憶及び送信は、通信網から独立したアドレス情報提供装置によって行われる。アドレス情報提供装置は、通信網を利用することなくアドレス情報の授受を行うことができるので、通信網との接続が困難な場所や不可能な場所においても本情報提供方法を実行することができる。
【００１３】
本明細書において、「アドレス情報」とは、少なくとも一の「アドレス」を含む情報をいうものとする。このアドレス情報は、２以上の互いに異なるアドレスを含むこともできる情報である。また、アドレス情報は、アドレス以外の情報、たとえば電話番号、ファクス番号、電子メールアドレスなどを含んでいてもよい。なお、「アドレス」とは、ネットワーク上におけるリソースを特定することができる情報をいい、たとえば、ＵＲＬ（ｕｎｉｆｏｒｍ　ｒｅｓｏｕｒｃｅ　ｌｏｃａｔｏｒ）、ＵＲＩ（ｕｎｉｆｏｒｍ　ｒｅｓｏｕｒｃｅ　ｉｄｅｎｔｉｆｉｅｒ）や、ＩＰアドレスなどである。
【００１４】
本発明の第２の態様は、通信網から独立したアドレス情報提供装置を用いる情報提供システムとして提案される。この情報提供システムは、通信網に接続された管理装置と、通信網に接続可能な情報提供者側端末装置と、通信網から独立したアドレス情報提供装置と、通信網に接続可能な情報閲覧者側端末装置とを有している。
【００１５】
アドレス情報は、通信網を介さずに情報提供者側端末装置からアドレス情報提供装置へ渡され、このアドレス情報提供装置から情報閲覧者側端末装置へと渡される。情報閲覧者側端末装置は、このアドレス情報を用いて展示物に関する情報を取得する。
【００１６】
管理装置は、どのアドレス情報提供装置にどのようなアドレス情報を書き込んだかなどの情報を情報提供者側端末装置から収集し、また、アドレス情報提供装置からアドレス情報を受信する際、どのアドレス情報提供装置からどのようなアドレス情報を受信したか、受信した日付、時刻はいつかなどの情報を情報閲覧者側端末装置から収集して、蓄積する。
【００１７】
本発明の第３の態様は、通信網から独立したアドレス情報提供装置を用いて情報提供を行うための情報提供者側端末装置として提案される。
【００１８】
情報提供者側端末装置は、アドレス情報提供装置と送受信するための送受信部と、通信網を介して送受信するための通信処理部とにより、２系統の通信を行うようになっている。アドレス情報の送信は送受信部によって行う。管理装置に対しては、アドレス情報の書込を行う権限の認証の要求を通信処理部を介して送信し、アドレス情報の書込を行う権限の認証が認証された場合アドレス情報提供装置にアドレス情報を送信する。
【００１９】
本発明の第４の態様は、通信網から独立したアドレス情報提供装置として提案される。このアドレス情報提供装置は、アドレス情報を含むデータの送受信を行う送受信部と、アドレス情報を記憶する情報記憶部と、送受信部からアドレス情報を受け取り、これを情報記憶部に書き込む情報書込処理部と、送受信部からアドレス情報送信要求を受け取り、この要求に応じて情報記憶部からアドレス情報を読み出し、送受信部を介してこのアドレス情報を送信する情報読出処理部とを有する。送受信部は通信網によらない通信方法によってアドレス情報の送受信を行う。
【００２０】
本発明の第５の態様は、通信網から独立したアドレス情報提供装置を用いて情報を取得するための情報閲覧者側端末装置として提案される。
【００２１】
情報閲覧者側端末装置は、通信網によらない通信方法によってアドレス情報提供装置と送受信するための送受信部を有しており、また通信網を介して管理装置及び情報配信装置とデータの送受信を行う。
【００２２】
アドレス情報取得部は、送受信部によってアドレス情報提供装置アドレス情報を受信する。情報取得部は、このアドレス情報取得部からアドレス情報を受け取り、このアドレス情報に対応する情報を通信網から取得する。また、情報取得通知部は、アドレス情報取得部がアドレス情報の取得すると通信網を介してアドレス情報の取得の通知を管理装置に送信する。
【００２３】
本発明の第６の態様は、通信網から独立したアドレス情報提供装置を用いて情報を提供するための管理装置として提案される。
【００２４】
管理装置は、その情報提供者認証部によりアドレス情報提供装置にアドレス情報の書込を行う権限の認証要求に対して、権限の有無を判定して通知する。また、アドレス情報提供装置に記憶されたアドレス情報を情報閲覧者側端末装置が取得した場合に送信されるアクセスログ情報を受信し、これを記憶させることがアクセスログ取得部により行われる。
【００２５】
【発明の実施の形態】
以下に図面を参照しながら本発明の実施の形態を詳細に説明する。
【００２６】
［本発明に関する基本概念について］
まず、図１から図３を参照しながら本発明に関する基本概念について説明する。
【００２７】
図１は、本発明を説明するための概略概念図である。
【００２８】
ある展示物１００について情報を提供しようとする者（「情報提供者」）１０３は、アドレス情報提供装置１０１を展示物１００に関連づけて配置する。
【００２９】
そして、この展示物１００に関連する情報１０６を通信網１０７を介して取得できるよう、その情報１０６のネットワーク上の位置情報であるアドレス情報（例えば、ＵＲＬ、ＩＰアドレスなど）１０４をアドレス情報提供装置１０１に携帯端末装置（「情報提供者側端末装置」という）１０３Ｔを用いて書込んでおく。
【００３０】
ここで、「展示物」とは、人間がその存在を認識できるものすべてをいうものとし、生物・無生物、有体物・無体物、動産・不動産、天然・人工のいずれであっても良い。一般的には、街頭に設置された看板、ポスター、掲示板などが代表的な「展示物」である。
【００３１】
「展示物に関連づけて配置する」とは、展示物に関する情報が取得できるであろうことを人が期待するような位置関係に展示物に対してアドレス情報提供装置が配置されることをいうものとする。「展示物に関連づけて配置する」状態は、展示物とアドレス情報提供装置が物理的に接触若しくは近接していることが絶対条件ではない。
【００３２】
アドレス情報提供装置１０１は、通信網１０７から独立している装置である。「通信網１０７から独立している」とは、通信網１０７から情報を受け取り、あるいは通信網１０７に情報を送らないことを言う。アドレス情報提供装置１０１は、通信網１０７によらない通信機能、たとえば赤外線通信機能を有しており、情報提供者側端末装置１０３Ｔや情報閲覧者側端末装置１０２Ｔとのデータ送受信をこの通信機能によって行うことができる。
【００３３】
この展示物１００に関する情報の取得を欲する者（「情報閲覧者」という）１０２は、その携帯端末装置（「情報閲覧者側端末装置」という）１０２Ｔを用いてアドレス情報提供装置１０１からアドレス情報１０４を受信する。
【００３４】
情報閲覧者側端末装置１０２Ｔは、通信網を介して情報１０６を受信する機能を有しており、アドレス情報１０４を通信網１０７に送信し、アドレス情報に対応する情報１０６の送信を要求する。
【００３５】
情報１０６を管理するＷｅｂサーバ１０５は、この情報１０６の送信要求を受け取ると、通信網１０７を介して情報閲覧者側端末装置１０２Ｔに送信する。
【００３６】
情報閲覧者側端末装置１０２Ｔは情報１０６を受信すると、ディスプレイ部に情報１０６の内容を表示する。この情報１０６の内容は、情報提供者１０３が展示物１００について提供しようとしたものである。
【００３７】
また、本発明にかかる情報提供システムは、情報提供者側端末装置１０２Ｔが、アドレス情報提供装置１０１にアドレス情報を書き込むと、情報提供者側端末装置１０２Ｔは、通信網１０７を介して管理装置１０８にどのアドレス情報提供装置にどのようなアドレス情報を書き込んだのかを通知する。アドレス情報提供装置１０１によるアドレス情報の書き込み処理と管理装置１０８へのアドレス情報の書き込み通知処理は、必ずしも時間的に連続して行われる必要はなく、たとえば情報提供者側端末装置１０１が通信網１０７に接続できない環境（たとえば、携帯電話による送受信ができない地下構造物内）下でアドレス情報の書き込み処理が行われた場合、情報提供者側端末装置１０１のオペレータが通信網１０７に接続できる環境に移動した後（たとえば、地下構造物から地上に出た後）に、管理装置１０８へのアドレス情報の書き込み通知処理を行うようにしてもよい。また、アドレス情報提供装置１０１によるアドレス情報の書き込み処理に先だって、管理装置１０８へのアドレス情報の書き込み通知処理を行うようにしてもよい。
【００３８】
また、情報閲覧者側端末装置１０２Ｔは、アドレス情報提供装置１０１からアドレス情報を受信する際、管理装置１０８にどのアドレス情報提供装置からどのようなアドレス情報を受信したか、受信した日付、時刻はいつかなどの情報を送信する。
【００３９】
管理装置１０８はこれらの情報を蓄積し、これを分析することにより様々なマーケティングに有用なデータを得ることも可能である。
【００４０】
このような情報の提供を行うシステム（「情報提供システム」とよぶ）によって、情報提供者１０３は、情報閲覧者に情報を閲覧してもらうことができ、情報閲覧者は、展示物に関する情報を取得できるようになる。
【００４１】
図２は、通信網１０７の具体的な構成例を示す図である。通信網１０７は、情報閲覧者側端末装置１０２Ｔ、情報提供者側端末装置１０３Ｔとの情報伝送を行うための無線通信網１０７Ａと、Ｗｅｂサーバ１０５、管理装置１０８との情報伝送を行うためのインターネット基幹網１０７Ｃと、無線通信網１０７Ａ、インターネット基幹網１０７Ｃ間を接続し、両通信網間の情報伝送を行うためのゲートウエイ１０７Ｃとにより構成される。無線通信網１０７Ａは、たとえば携帯電話網である。インターネット基幹網１０７Ｃは、たとえばデータ回線網などである。なお、通信網１０７は、図示の例以外の構成であってもよく、単一の通信網のみで構成されていてもよく、あるいは３以上の通信網により構成されるものであってもよい。
【００４２】
図３は、アドレス情報提供装置１０１と展示物１００との位置関係を説明するための図である。この例では、展示物１００の表面上にアドレス情報提供装置１０１が固定されている。展示物１００は、駅などに設けられている広告パネルのように壁２０１に固定されている。
【００４３】
情報提供者１０３は、アドレス情報提供装置１０１と、情報提供者側端末装置１０２Ｔとが通信可能な位置に立ち、情報提供者側端末装置１０２Ｔからアドレス情報提供装置１０１にアドレス情報１０４を送信する。
【００４４】
同様に、情報閲覧者１０２は、アドレス情報提供装置１０１が展示物１００に設けられているのをみると、展示物１００に関する情報１０６が得られることを期待し、アドレス情報提供装置１０１と情報閲覧者側端末装置１０２Ｔとが通信可能な位置に立ち、アドレス情報提供装置１０１にアドレス情報１０４の送信を要求し、アドレス情報を１０４を受信する。
【００４５】
［情報提供システムの構成例］
つぎに、上記情報提供システムの構成例について説明する。図４は、このような情報提供システムの構成例を示すブロック図である。同図において、情報提供システムは、通信網３００に接続された管理装置３０１と、通信網３００に接続された情報配信装置３０２と、この通信網３００を介して管理装置３０１に接続可能であるとともに、通信網３００を介さずにアドレス情報提供装置３０５と通信可能な情報提供者側端末装置３０３と、この通信網３００を介して管理装置３０１および情報配信装置３０２に接続可能であるとともに、通信網３００を介さずにアドレス情報提供装置３０５と通信可能な情報閲覧者側端末装置３０４と、通信網３００から独立しており、かつ情報提供者側端末装置３０３および情報閲覧者側端末装置３０４と送受信機能により通信網３００を介さずに通信可能なアドレス情報提供装置３０５とを有している。
【００４６】
［通信網３００］
通信網３００は、有線・無線、専用回線・交換回線を問わず、これに接続されている装置がそれぞれ目的とする装置に対しセッションを確立したときにその間での情報の送受を可能とするように作用する。通信網３００は、インターネットのように、ゲートウエイを介して複数のネットワーク、たとえば無線通信網とインターネット基幹網などが組み合わされて実現しても構わない。また、その接続についてもいわゆるバックボーンといわれる基幹線に直接接続せずとも、ＰＰＰ（Ｐｏｉｎｔ　ｔｏ　Ｐｏｉｎｔ　Ｐｒｏｔｏｃｏｌ）接続などによって一時的に接続してあっても、セッションを確立したときにその間で情報の送受信ができるようになっていれば構わない。なお、上記「通信網」は専用回線を固定的に張りめぐらせたような、交換機を用いない通信網も含むものとする。
【００４７】
［管理装置３０１］
管理装置３０１は、情報提供者側端末装置３０３からアドレス情報提供装置３０５にその通信機能を用いてアドレス情報の書込を行う権限の認証要求を通信網３００を介して受け取り、この認証要求に対して、権限の有無を判定して、情報提供者側端末装置３０５に通知する機能と、情報閲覧者側端末装置３０４から通信網３００を介して送信される、アドレス情報に基づいた情報の取得通知を受け取り、これを蓄積記憶する機能を有する。
【００４８】
管理装置３０１は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。前記ＲＯＭ、もしくは外部記憶装置などに情報処理装置を管理装置３０１として機能させるためのプログラム、もしくは情報提供方法をコンピュータに実行させるためのプログラムが記憶されており、該プログラムを主メモリ上に載せ、ＣＰＵがこれを実行することにより管理装置３０１が実現される。また、上記プログラムは必ずしも当該装置内の記憶装置に記憶されていなくともよく、磁気ディスク、光ディスク、光磁気ディスク、ＣＤ（Ｃｏｍｐａｃｔ　Ｄｉｓｃ）、ＤＶＤ（Ｄｉｇｉｔａｌ　Ｖｉｄｅｏ　Ｄｉｓｃ）などのコンピュータ読み取り可能なプロクラム記録媒体や、外部の装置（例えば、ＡＳＰ（アプリケーション・サービス・プロバイダのサーバなど）から提供され、これを主メモリに乗せる構成であっても良い。
【００４９】
図５は、管理装置３０１の構成例を示すブロック図である。管理装置３０１は通信網３００に接続された通信処理部４０１と、この通信処理部４０１に接続された情報提供者登録部４０２、情報提供者認証部４０３、アドレス情報提供装置情報管理部４０４、およびアクセスログ取得部４０５とを有している。
【００５０】
管理装置３０１は、さらに情報提供者情報記憶部４０６、アドレス情報提供装置情報記憶部４０７、アクセスログ記憶部４０８、及び解析部４０９とを有している。情報提供者登録部４０２および情報提供者認証部４０３は、情報提供者情報記憶部４０６に接続されている。アドレス情報提供装置情報管理部４０４は、情報提供者認証部４０３に接続されているとともに、アドレス情報提供装置情報記憶部４０７に接続されている。アクセスログ取得部４０５は、アクセスログ記憶部４０８に接続されている。解析部４０９は、アドレス情報提供装置情報記憶部４０７、およびアクセスログ記憶部４０８に接続されている。
【００５１】
上記各部はＣＰＵ、ＲＡＭ、ＲＯＭ、Ｉ／Ｏ、外部記憶装置のいずれか若しくはこれらの少なくとも２以上の組み合わせとプログラムによって構成され、それぞれが物理的に独立したハードウエアによって構成される必要はない。また、上記各部は必ずしも物理的に単一の装置内に集められている必要はなく、例えば相互にネットワークで接続された複数のコンピュータに上記各部を分散して配置して構成してもかまわない。なお、上記各部が「接続されている」とは、データの受け渡しが可能であることを意味し、必ずしも物理的な接続がされていることを必要とするものではない。
【００５２】
通信処理部４０１は、通信網３００に接続されており、通信網３００を介して情報提供者側端末装置３０３、情報閲覧者側端末装置３０４との接続の確立、及び情報の交換を実行する機能を有し、たとえば、ＴＣＰ／ＩＰを含むプロトコル・スタック及びこのプロトコルを実行するためのハードウエアにより構成される。
ユーザ登録部４０２は、情報提供者から送信される情報を受け取り、これを情報提供者情報記憶部４０６に記憶させる。図６は、情報提供者情報記憶部４０６に記憶させる情報のデータ構成例を示す図である。図示の例では、１の情報提供者について１のレコードが生成、記憶されるようになっている。レコード５００は、情報提供者ＩＤフィールド５０１、パスワードフィールド５０２、使用可能アドレス情報提供装置情報フィールド５０３、名称（氏名）フィールド５０４、代表者５０５フィールド、住所フィールド５０６、連絡先フィールド５０７、課金情報フィールド５０８を有している。情報提供者ＩＤフィールド５０１は、情報提供者を特定する情報を格納する。格納される情報は、例えば情報提供者にユニークに与えられる識別番号である。パスワードフィールド５０２は、情報提供者が任意に設定するパスワードを格納する。使用可能アドレス情報提供装置情報フィールド５０３は、その情報提供者が使用可能なものとして認められるアドレス情報提供装置を特定する情報を格納する。アドレス情報提供装置を特定する情報としては、アドレス情報提供装置にユニークに割り当てられた識別番号や、アドレス情報提供装置のハードウエアに固有に割り当てられた情報（ＭＡＣアドレスなど）を用いることが考えられる。
【００５３】
名称（氏名）フィールド５０４、代表者フィールド５０５、住所フィールド５０６、連絡先フィールド５０７、課金情報フィールド５０８はそれぞれ情報提供者に関する情報を記憶する。これらフィールドに格納された情報は主に事務的な連絡や課金処理のために利用される。
【００５４】
図５に戻り、管理装置３０１の構成例の説明を続ける。
情報提供者認証部４０３は、情報提供者側端末装置３０３からアドレス情報の書込を行う権限の認証要求を通信網３００を介して受け取り、この認証要求に対して、情報提供者情報記憶部４０６の記憶内容を参照して権限の有無を判定して、情報提供者側端末装置３０３に通知する。
【００５５】
アドレス情報提供装置情報管理部４０４は、情報提供者側端末装置３０３がアドレス情報提供装置３０５にアドレス情報を送信した場合、情報提供者側装置３０３が通信網３００を介して送信する送信内容情報を受け取り、これをアドレス情報提供装置情報記憶部４０７に記憶させる。なお、情報提供者側端末装置３０３からアドレス情報提供装置３０５へのアドレス情報の送信と、管理装置３０１へのアドレス情報の送信（通知）とが時間的に連続している必要はなく、アドレス情報提供装置３０５へのアドレス情報の送信と管理装置３０１へのアドレス情報の送信（通知）との間に時間的に差が生じていてもよい。また、アドレス情報提供装置３０５へのアドレス情報の送信に先だって、管理装置３０１へのアドレス情報の送信（通知）を行うようにしてもよい。
【００５６】
図７は、アドレス情報提供装置情報記憶部４０７によって記憶されるデータの構成例を示す。図示の例では、一の送信内容情報について一のレコード６００が生成され、記憶されるようになっている。レコード６００は、アドレス情報提供装置ＩＤフィールド６０１と、情報内容フィールド６０２とを有している。このレコード６００からそのアドレス情報提供装置３０５がどのようなアドレス情報等を書き込まれているかが解るようになっている。なお、レコード６００は、アドレス情報提供装置３０５の設置場所を示す情報を格納するフィールド６０３をさらに有していても良い。設置場所を示す情報として、住所番地を用いても良いし、ＧＰＳ（Ｇｌｏｂａｌ　Ｐｏｓｉｔｉｏｎｉｎｇ　Ｓｙｓｔｅｍ）から取得した緯度経度情報を用いても良い。
【００５７】
再び図５に戻り、管理装置３０１の構成例の説明を続ける。
アクセスログ取得部４０５は、情報閲覧者側端末装置３０４から送信されるアクセスログ情報を受け取り、これをアクセスログ情報記憶部４０８に記憶させる。アクセスログ情報は、情報閲覧者側端末装置３０４がどのアクセス情報提供装置からどのアドレス情報を受け取ったか、いつ受け取ったか、いつこのアドレス情報に対応する情報を介して取得したかという情報である。アクセスログ情報は上記の内容をすべて含む必要はなく、必要に応じてどのような内容を記録するかを適宜定めて良い。
【００５８】
解析部４０９は、情報提供者情報記憶部４０６、アドレス情報提供装置情報記憶部４０７、アクセスログ記憶部４０８に記憶されたデータを解析することにより、マーケティングに利用可能な種種のデータを生成する機能を有する。例えば、一定期間における各アドレス情報提供装置のアドレス情報送信回数を集計し、どの地域においての広告活動が有効か、どのような場所にアドレス情報提供装置をおくのがよいかなど分析するための統計データを生成することが考えられる。
【００５９】
［情報提供者側端末装置３０３］
次に、情報提供者側端末装置３０３について、図８、図９を参照しながら説明する。
情報提供者側端末装置３０３は、管理装置３０１に宛てて、アドレス情報提供装置３０５にアドレス情報の書込を行う権限の認証要求を通信網を介して送信する機能と、アドレス情報の書込を行う権限の認証が認証された場合アドレス情報提供装置３０５にアドレス情報を送信し、アドレス情報を記憶させる機能と、アドレス情報装置３０５に送信したアドレス情報及びアドレス情報を送信したアドレス情報提供装置を特定する情報を管理装置３０１に送信して、どのアドレス情報提供装置３０５にどのようなアドレス情報が書き込まれているかを把握するための情報を提供する機能と、を有している。
【００６０】
情報提供者側端末装置３０３は、通信網３００を介して管理装置３０１に接続可能であり、かつ通信網３００とは別個の通信経路によりアドレス情報提供装置３０５と通信可能な情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置などで構成されている。たとえば情報提供者側端末装置３０３は、携帯電話器、移動体通信端末、ＰＤＡ（Ｐｅｒｓｏｎａｌ　Ｄｉｇｉｔａｌ　Ａｓｓｉｓｔａｎｔ）もしくはコンピュータなどのユーザによる携帯可能な情報処理装置であって、具体的な例としてはＷｅｂ接続機能および、赤外線通信のような装置間通信機能を有する携帯電話器である。なお、ここで「ユーザによる携帯可能な情報処理装置」は、ユーザが自ら搬送できる情報処理装置に限られるものではなく、自動車、自転車、オートバイなどの移動手段若しくは搬送手段に搭載可能なもの、これら移動手段に半固定的に搭載されているもの、若しくは定常的に固定されているもの（例えば、車載コンピュータなど）を含む。
【００６１】
図８は、情報提供者側端末装置３０３の構成例を示す機能ブロック図である。情報提供者側端末装置３０３は、送受信部７０１と、情報設定処理部７０２と、通信処理部７０３と、入力部７０４と、表示部７０５とを有している。
【００６２】
情報設定処理部７０２は、送受信部７０１、通信処理部７０３、入力部７０４、及び表示部７０５に接続されている。
【００６３】
送受信部７０１は、アドレス情報提供装置３０５とデータ通信を行う機能を有する。この送受信部７０１によりアドレス情報及びその他の情報がアドレス情報提供装置３０５に提供される。
【００６４】
送受信部７０１の通信方法は、情報提供者側端末装置３０３とアドレス情報提供装置３０５との間でデータの送信若しくは交換が成立する通信方法であればどのような方法であっても良い。このデータの交換は、単方向（一方向）であっても良く、あるいは双方向であっても良い。またＰｏｉｎｔ　ｔｏ　Ｐｏｉｎｔ通信のように一対一の関係でデータの交換がおこなわれる方法であっても良いし、Ｐｏｉｎｔ　ｔｏ　Ｍｕｌｔｉ通信のような一対多の関係でデータの送信若しくは交換を行うものであっても良い。
【００６５】
送受信部７０１の通信方法として、たとえばＩｒ−ＤＡ（Ｉｎｆｒａｒｅｄ　Ｄａｔａ　Ａｓｓｏｃｉａｔｉｏｎ）、Ｂｌｕｅｔｏｏｔｈ等の近距離通信方法を用いることが考えられる。なお、ここで行う通信は単方向通信であっても良いし、双方向通信としても良い。またここにいう「短距離」とは、情報提供者側端末装置３０３のオペレータがアドレス情報提供装置を視認できる程度の距離を言うものとする。但し、送受信部７０１は、近距離通信に含まれない「長距離通信」を用いてもかまわないが、効率の面で近距離通信の方が好ましい。
【００６６】
情報設定処理部７０２は、アドレス情報提供装置３０５にアドレス情報の書込を行う権限の認証要求を通信処理部７０３を介して管理装置３０１に送信する認証要求部７０７と、アドレス情報の書込を行う権限の認証を管理装置３０１から受信し、これに応じて入力部７０４から受け取ったアドレス情報等を送受信部７０１に渡し、アドレス情報提供装置３０５にアドレス情報を送信させるアドレス情報生成部７０６と、アドレス情報提供装置３０５に送信したアドレス情報をアドレス情報生成部７０６から受け取り、これを通信処理部７０３に渡して管理装置３０１に送信させるアドレス情報通知部７０８とを有している。
【００６７】
図９は、アドレス情報生成部７０６によって生成され、送受信部７０１を介してアドレス情報提供装置に送信されるデータの構成例を示す図である。送信されるデータは、情報提供者の名前８０１、連絡先８０２、メールアドレス８０３、住所８０４、アドレス情報８０５、コメント８０６を有している。情報提供者の名前８０１、連絡先８０２、メールアドレス８０３、住所８０４、コメント８０６は情報閲覧者に提供される情報について知らせるために用いられ、情報閲覧者側端末装置３０４に送信されて表示される。アドレス情報８０５は、情報閲覧者側端末装置３０４に送信されて、情報閲覧者側端末装置３０４が通信網３００を介して情報配信装置３０２から、情報を取得するために用いられる。
【００６８】
図８に戻り、情報提供者側端末装置３０３の構成例の説明を続ける。
通信処理部７０３は、必要に応じて通信網３００との接続を確立し、通信網３００を介して管理装置３０１との接続の確立、及びデータの送受信を実行する機能を有し、たとえば、ＴＣＰ／ＩＰを含むプロトコル・スタック及びこのプロトコルを実行するためのハードウエアにより構成される。
入力部７０４は、オペレータからの入力を受け付け、情報設定処理部７０２にアドレス情報などを提供する機能を有し、たとえばキーボード、ボタン、ポインティングデバイスなどである。
【００６９】
表示部７１０は、情報をオペレータに了知可能な形態で提供する機能を有し、たとえば液晶ディスプレイ、プラズマディスプレイ等の表示装置ある。
【００７０】
［アドレス情報提供装置３０５］
次に、図１０を参照しながらアドレス情報提供装置３０５について説明する。アドレス情報提供装置３０５は、情報提供者側端末装置３０３からアドレス情報を受信してこれを記憶する機能と、情報閲覧者側端末装置３０４からのアドレス情報送信要求に応じて、記憶したアドレス情報を送信する機能とを有する。
【００７１】
アドレス情報提供装置３０５は、通信網３００から独立している装置である。「通信網３００から独立している」とは、通信網３００を介したデータの送受信を行う機能を有しないことを言うものとする。アドレス情報提供装置３０５は、その送受信部９０１によって、通信網３００を介さずに他の装置とのデータの送受信を行う。
【００７２】
図１０は、アドレス情報提供装置３０５の構成例を示す機能ブロック図である。
【００７３】
図示のアドレス情報提供装置３０５は、送受信部９０１と、情報書込処理部９０２と、情報記憶部９０３と、情報読出処理部９０４とを有している。情報書込処理部９０２は、送受信部９０１および情報記憶部９０３に接続されている。また、情報読出処理部９０４も、送受信部９０１および情報記憶部９０３に接続されている。
【００７４】
送受信部９０１は、情報提供者側端末装置３０３及び情報閲覧者側端末装置３０４とデータ通信を行う機能を有する。この送受信部９０１によりアドレス情報を情報提供者側端末装置３０３から受信し、また情報閲覧者側端末装置３０４にアドレス情報を送信する。送受信部９０１がデータ通信を行う通信方法は、情報提供者側端末装置３０３の送受信部７０１と同様である。なお、本実施の形態では、アドレス情報提供装置３０５は同一の送受信部９０１をもって情報提供者側端末装置３０３及び情報閲覧者側端末装置３０４とデータ通信を行うものとして説明するが、アドレス情報提供装置３０５に２つの送受信部９０１を設け、情報提供者側端末装置３０３、情報閲覧者側端末装置３０４とのデータ通信を別の送受信部９０１によって行うようにしても良い。この場合、２つの送受信部９０１が異なる通信方法を用いるものであっても良い。例えば、一方は赤外線通信方法、他方がＢｌｕｅｔｏｏｔｈによるものであっても良い。
【００７５】
情報書込処理部９０２は、情報提供者側端末装置３０３から送信されたアドレス情報等を送受信部９０１を介して受け取り、これを情報記憶部９０３に書き込む機能を有する。
【００７６】
情報記憶部９０３は、情報提供者側端末装置３０３から送信されたアドレス情報を記憶する機能を有する。本実施の形態では、情報記憶部９０３により記憶されるデータの構成は、図９に示すデータ８００と同様となる。
【００７７】
情報読出処理部９０４は、送受信部９０１を介して情報閲覧者側端末装置３０４からアドレス情報送信要求を受け取り、この要求を受け取ると情報記憶部９０３からアドレス情報を読み出し、これを送受信部９０１に渡し情報閲覧者側端末装置３０４に送信させる機能を有する。
【００７８】
なお、アドレス情報提供装置３０５は、前記各部を駆動させるための電源部９０５を有していても良い。あるいは、電源部９０５を設けることなく、外部から電力供給を受ける構成としても良い。例えば、アドレス情報提供装置９０１を照明付きの掲示板に設ける場合は、照明用電力線から電力を得、各部に供給する構成としても良い。
【００７９】
［情報閲覧者側端末装置３０４］
次に、図１１を参照しながら情報閲覧者側端末装置３０４について説明する。図１１は、情報閲覧者側端末装置３０４の構成例を示す機能ブロック図である。
【００８０】
情報閲覧者側端末装置３０４は、アドレス情報提供装置３０５にアドレス情報送信要求を送信する機能と、この送信要求に応答してアドレス情報提供装置３０５から送信されるアドレス情報を受信する機能と、このアドレス情報に基づいて情報を通信網３００を介して情報配信装置３０２から取得する機能と、管理装置３０１にこのアドレス情報に基づいた情報の取得を通知する機能とを有する。
【００８１】
情報閲覧者側端末装置３０４は、通信網３００を介して管理装置３０１および情報配信装置３０２に接続可能であり、かつ通信網３００とは別個の通信経路によりアドレス情報提供装置３０５と通信可能な情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。たとえば情報閲覧者側端末装置３０３は、携帯電話器、移動体通信端末、ＰＤＡ（Ｐｅｒｓｏｎａｌ　Ｄｉｇｉｔａｌ　Ａｓｓｉｓｔａｎｔ）もしくはコンピュータなどのユーザによる携帯可能な情報処理装置であって、具体的な例としてはＷｅｂ接続機能および、赤外線通信のような装置間通信機能を有する携帯電話器である。なお、ここで「ユーザによる携帯可能な情報処理装置」は、情報提供者側端末装置３０３に関して説明した意味と同様である。
【００８２】
情報閲覧者側端末装置３０４は、送受信部１００１と、アドレス情報取得部１００２と、情報取得通知部１００３と、情報取得部１００４と、通信処理部１００５と、入力部１００６と、表示部１００７とを有している。
【００８３】
アドレス情報取得部１００２は、送受信部１００１と、情報取得通知部１００３と、情報取得部１００４とに接続している。情報取得通知部１００３は、通信処理部１００５に接続している。情報取得部１００４は、通信処理部１００５および表示部１００７に接続している。入力部１００６は、アドレス情報取得部１００２に接続している。
【００８４】
送受信部１００１は、アドレス情報提供装置３０５の送受信部９０１とデータ通信を行う機能を有する。この送受信部１００１によりアドレス情報がアドレス情報提供装置３０５から提供される。送受信部１００１がアドレス情報提供装置３０５の送受信部９０１とデータ交換を行う通信方法は、情報提供者側端末装置３０３の送受信部７０１と同様であって、情報閲覧者側端末装置３０４とアドレス情報提供装置３０５との間でデータの送信若しくは交換が成立する通信方法であればどのような方法であっても良い。
【００８５】
アドレス情報取得部１００２は、入力部１００６からアドレス情報取得処理開始の入力を受け付けると、アドレス情報送信要求を送受信部１００１を介してアドレス情報提供装置３０５に送信する。送受信部１００１は、アドレス情報提供装置３０５から返信されたアドレス情報を受け取ると、これをアドレス情報取得部１００２に渡す。
【００８６】
アドレス情報取得部１００２は情報取得部１００４にアドレス情報を渡す。情報取得部１００４は、アドレス情報に含まれるアドレスにより特定される情報の送信要求を通信処理部１００５に渡し、通信処理部１００５は通信網３００にこの送信要求を送信する。
【００８７】
送信要求は通信網３００によって情報配信装置３０２に送られ、情報配信装置３０２はこの送信要求に応じて、前記アドレスによって特定された情報を通信網３００を介して情報閲覧者側端末装置３０４に宛てて送信する。
【００８８】
通信処理部１００５が送信された情報を受け取り、これを情報取得部１００４に渡すと、情報取得部１００４は情報の表示処理を行い表示部１００７に渡す。表示部１００７はこれを表示し、情報閲覧者はアドレス情報提供装置３０５に格納されたアドレス情報に対応する情報を閲覧することができる状態となる。
【００８９】
また、アドレス情報取得部１００２は、アドレス情報提供装置３０５から返信されたアドレス情報を受け取ると、これを情報取得通知部１００３に渡す。情報取得通知部１００３は、このアドレス情報の全部又は一部を通信処理部１００５に渡し、通信網３００を介して管理装置３０１に宛てて送信させる。これにより管理装置３０１に、アドレス情報の取得に関する情報を通知することになる。なお、アドレス情報提供装置３０５から返信されたアドレス情報の受信と、管理装置３０１へのアドレス情報受信の通知は、必ずしも時間的に連続している必要はなく、アドレス情報提供装置３０５から返信されたアドレス情報の受信後、時間の経過を経て管理装置３０１へのアドレス情報受信の通知が行われるようにしてもよい。たとえば、情報閲覧者が通信網３００による通信ができない環境（たとえば、地下街内、高速移動中の乗り物内など）下でアドレス情報提供装置３０５からアドレス情報を取得した場合、その後通信網３００による通信ができる環境となった時点（たとえば、地下街から地上に出た場合、乗り物から降りた場合など）で管理装置３０１へのアドレス情報受信の通知を行うようにしてもよい。
【００９０】
［情報配信装置３０２］
情報配信装置３０２は、アドレス情報に含まれるアドレスによって特定される情報を記憶し、その情報の送信要求を通信網３００を介して受け付けると、その情報の送信を通信網３００を介して行う情報処理装置であって、例えば、Ｗｅｂサーバなどである。ここで、「アドレス情報に含まれるアドレスによって特定される情報」は、通信網３００を介して情報閲覧者側端末装置３０４が受信可能な情報であれば、どのようなものでもよく、たとえば文字情報、動画像、静止画像、音声ファイル若しくはこれらの組み合わせからなるウェブ文書などである。
【００９１】
［本情報提供システムの動作について］
次に、本情報提供システムの動作例について説明する。
【００９２】
［情報提供者登録］
図１２は、情報提供者に関する情報を管理装置３００に登録する場合の動作例を示すシーケンス図である。
【００９３】
まず、情報提供者は情報提供者側端末装置３０３として用いる携帯端末装置から、情報提供者側端末装置３０３として機能させるためのアプリケーションのダウンロード要求を管理装置３０１に行う（ステップＳ１１０１）。管理装置３０１は、この要求に応じてアプリケーションのデータを携帯端末装置に送信する（ステップＳ１１０２）。
【００９４】
なお、アプリケーションのダウンロードサーバとして管理装置３０１を例としてあげたが、アプリケーションのダウンロードサーバは管理装置３０１以外の装置であってもかまわない。
【００９５】
情報提供者はダウンロードしたアプリケーションを携帯端末装置上で機能するように設定する（ステップＳ１１０３）。この時点で携帯端末装置は情報提供者側端末装置３０３として機能するようになる。
【００９６】
情報提供者は、このアプリケーションを用いて情報提供者情報の入力を行う（ステップＳ１１０４）。入力される情報は、図６に示すような情報である。
【００９７】
入力が完了すると、情報提供者側端末装置３０３は、情報提供者登録の要求及びステップＳ１１０４において入力された情報を管理装置３０１に送信する（ステップＳ１１０５）。
【００９８】
管理装置３０１の情報提供者登録部４０２は、その通信処理部４０１を介して情報提供者登録の要求及びステップＳ１１０４において入力された情報を受け取り、ステップＳ１１０４において入力された情報を情報提供者情報として情報提供者情報記憶部４０６に記憶させる（ステップＳ１１０６）。
【００９９】
以上で情報提供者登録処理が終了する。
【０１００】
［アドレス情報提供装置へのアドレス情報の書込処理］
次に、図１３、図１４を参照しながらアドレス情報提供装置３０５へのアドレス情報の書込処理について説明する。図１３は、アドレス情報提供装置へのアドレス情報の書込処理におけるシーケンス図である。図１３において、情報提供者側端末装置３０３とアドレス情報提供装置３０５間、および情報閲覧者側端末装置３０４とアドレス情報提供装置３０５間の通信は、通信網３００から独立した通信経路となる送受信部７０１，９０１、１００１による通信によって行われ、それ以外の装置間通信は通信網３００を介した通信によって行われる。
【０１０１】
まず、情報提供者が入力部７０４から所定の操作を行って情報提供者側端末装置３０３の情報設定処理部７０２を起動させ、アドレス情報などアドレス情報提供装置に書き込むための情報を入力する（ステップＳ１２０１）。図１４（Ａ）、１４（Ｂ）は、情報提供者側端末装置３０２の表示部７０５に表示される起動画面例であり、図１４（Ｃ）は、アドレス情報などの入力を促す入力画面例である。
【０１０２】
入力が完了すると、情報提供者側端末装置３０３の認証要求部７０７は管理装置３０２認証要求を送信する（ステップＳ１２０２）。管理装置３０２の情報提供者認証部４０３は、情報提供者情報記憶部４０６の記憶内容を参照して、認証要求を発した情報提供者はアドレス情報提供装置に書込をする権限を有するか否かを判断し、判断結果を情報提供者側端末装置３０３に送信する（ステップＳ１２０３）。
【０１０３】
認証結果が書込を認めるものである場合、これを受信した認証要求部７０７は、アドレス情報生成部７０６にアドレス情報提供装置３０５にアドレス情報などを送信するように指示し、その結果、情報提供者側端末装置３０３は、アドレス情報提供装置３０５にステップ１２０１において入力した情報をアドレス情報生成部７０６、送受信部７０１により送信する（ステップＳ１２０４）。図１５（Ａ）は、ステップＳ１２０４の実行に先立って、オペレータに送信を確認するための画面例である。
【０１０４】
アドレス情報提供装置３０５は、その送受信部９０１により受信した情報をその情報記憶部９０３に記憶する（ステップＳ１２０５）。
【０１０５】
一方、情報提供者側端末装置３０３において、アドレス情報提供装置に送信した情報の全部若しくは一部が設定情報通知部３０８によって管理装置３０１に通信網３００を介して送信される（ステップＳ１２０６）。なお、情報提供者側端末装置３０３は、ステップＳ１２０５実行後、直ちにステップＳ１２０６を実行する必要はなく、たとえばステップＳ１２０５実行後、情報提供者側端末装置３０３のオペレータから送信命令を受け付けた時点で、ステップ１２０６を実行するようにしてもよい。
【０１０６】
図１５（Ｂ）は、ステップＳ１２０６の実行に先立って情報提供者側端末装置３０３の表示部７０５に表示される、管理装置３０１に対する通知送信を情報提供者側端末装置３０３のオペレータに確認するための画面例である。また、図１５（Ｃ）は、ステップＳ１２０６終了後に情報提供者側端末装置３０３の表示部７０５に表示される、情報の書込処理の終了を情報提供者側端末装置３０３のオペレータに知らせる画面例である。
【０１０７】
管理装置３０１は、送信された情報をアドレス情報提供装置情報管理部４０４によって受け取り、これをアドレス情報提供装置情報記憶部４０７に記憶する（ステップＳ１２０７）。
【０１０８】
以上により、情報提供者側端末装置３０２によるアドレス情報提供装置へのアドレス情報の書込処理が終了する。
【０１０９】
［アドレス情報提供装置３０５からのアドレス情報の読み出し、およびアドレス情報に基づく情報の取得］
次に、アドレス情報提供装置３０５からのアドレス情報の読み出し、およびアドレス情報に基づく情報の取得処理における本情報提供システムの動作例について図１６、図１７を参照しながら説明する。
図１６は、アドレス情報提供装置３０５からのアドレス情報の読み出し、およびアドレス情報に基づく情報の取得処理における本情報提供システムのシーケンス図である。図１６において、情報提供者側端末装置３０３とアドレス情報提供装置３０５間、および情報閲覧者側端末装置３０４とアドレス情報提供装置３０５間の通信は、通信網３００から独立した通信経路となる送受信部７０１，９０１、１００１による通信によって行われ、それ以外の装置間通信は通信網３００を介した通信によって行われる。
【０１１０】
まず、情報閲覧者は情報閲覧者側端末装置３０４のアドレス情報取得部１００２を起動させる（ステップＳ１５０１）。図１７（Ａ）は、情報閲覧者にアドレス情報提供装置３０５からアドレス情報を受け取ることを確認するための、情報閲覧者側端末装置３０４の表示部１００７に表示される画面例である。情報閲覧者はこの画面が表示されたら、アドレス情報提供装置３０５と情報閲覧者側端末装置３０４との送受信部９０１、１００２間でのデータの送受信が可能な距離若しくは位置となるように、自身の位置取りを行うのが好ましい。例えば、送受信部９０１、１００２が赤外線通信によるデータ送受信方法を用いる場合には、データ送受信可能な距離となるように、かつ情報閲覧者側端末装置３０４の送受信部１００２がアドレス情報提供装置３０５の送受信部９０１に近接し、且つ対向するように位置する。
【０１１１】
情報閲覧者が所定の操作を行うと、情報閲覧者側端末装置３０４の送受信部１００２とアドレス情報提供装置３０５の送受信部９０１との通信が行われることにより、情報閲覧者側端末装置３０４からアドレス情報送信要求がアドレス情報提供装置３０５に送信される（ステップＳ１５０２）。
【０１１２】
アドレス情報提供装置３０５は、このアドレス情報送信要求を受け取ると、情報読出処理部９０４が情報記憶部９０３から、記憶されたアドレス情報などを読み出し、これを送受信部９０１に渡す（ステップＳ１５０３）。送受信部９０１は、受け取ったアドレス情報を所定の通信方式による処理を行い、送信する（ステップＳ１５０４）。
【０１１３】
図１７（Ｂ）は、図１７（Ａ）に続いて表示される画面例であって、ステップＳ１５０４に先立って情報閲覧者側端末装置３０４の表示部１００７に表示される画面例である。情報閲覧者は情報閲覧者側端末装置３０４の送受信部１００２がアドレス情報提供装置３０５の送受信部９０１に近接し、且つ対向するように保持した状態でこの画面を見る。ここで通信を行うことを確認する（たとえば図中「はい」のボタンをクリックする、若しくはエンターキーなどの押下をする）ことにより、送受信部９０１、１００２間の通信処理が開始される。
【０１１４】
情報閲覧者側端末装置３０４は、アドレス情報提供装置３０５からアドレス情報を受け取ると、情報取得通知部１００３の機能により管理装置にアドレス情報に基づく情報の取得を通信網３００を介して通知する（ステップＳ１５０５）。管理装置３０１は、受け取った通知をアクセスログ情報として記憶しておく（ステップＳ１５０６）。なお、なお、ステップＳ１５０２又はステップＳ１５４と、ステップＳ１５０５とは、必ずしも時間的に連続している必要はなく、アドレス情報提供装置３０５から返信されたアドレス情報の受信後、時間の経過を経て管理装置３０１へのアドレス情報受信の通知（ステップＳ１５０５）が行われるようにしてもよい。
【０１１５】
また、情報閲覧者側端末装置３０４は、情報取得部１００４の機能により、アドレス情報及び情報送信要求を通信網３００に送出する（ステップＳ１５０７）。
【０１１６】
送信要求は通信網３００によって情報配信装置３０２に送られ、情報配信装置３０２はこの送信要求に応じて、アドレス情報に含まれるアドレスによって特定された情報を通信網３００を介して情報閲覧者側端末装置３０４に宛てて送信する（ステップＳ１５０８）。
【０１１７】
情報閲覧者側端末装置３０４は、情報配信装置３０２から受け取った情報を解釈し表示部１００７にその内容を表示する（ステップＳ１５０９）。図１７（Ｃ）は、情報閲覧者側端末装置３０４が情報配信装置３０２から受け取った情報をその表示部１００７に表示した画面例である。
【０１１８】
以上により、情報提供者が情報閲覧者に提供しようとする情報が、アドレス情報提供装置３０５を媒介として、情報提供者により提供された情報が情報閲覧者によって閲覧されることが達成されることとなる。
【０１１９】
［第２の実施の形態］
つぎに、本発明の第２の形態について図１８から図２１を参照しながら説明する。
【０１２０】
第２の実施の形態は、アドレス情報提供装置３０５に複数のアドレス情報を記憶させ、アドレス情報提供装置３０５は、自動的に所定の条件に合致する少なくとも一のアドレス情報を選択し、選択されたアドレス情報を情報閲覧者側端末装置３０４に送信することを特徴としている。この第２の実施の形態によれば、アドレス情報提供装置を用いて可変的な情報提供方法を実現することが可能となり、たとえば時刻に応じて提供される情報の内容を変更したり、アクセス回数が初回から１００回までの情報閲覧者には特典付きの情報を提供し、１０１回以降のアクセスに関しては特典無しの情報を情報閲覧者に提供する、というような情報提供が実現できる。
【０１２１】
図１８は、第２の実施の形態にかかるアドレス情報提供装置１７０１の構成例を示す機能ブロック図である。なお、この構成例においては、所定の条件として時刻及びアドレス情報の送信回数を用いる場合の例を示すが、本発明において「所定の条件」はこれらに限られるものではない。例えば、情報閲覧者の属性情報（性別、年齢、職業、など）をあらかじめ情報閲覧者側端末装置３０４に記憶させており、アドレス情報を要求する際に情報閲覧者側端末装置３０４がアドレス情報提供装置３０５にこのような属性情報を供給し、アドレス情報提供装置３０５がこの属性情報に応じてアドレス情報の選択を行う、という構成も考えられる。
【０１２２】
アドレス情報提供装置１７０１は、図１０に示す第１の実施の形態におけるアドレス情報提供装置３０５の構成とほぼ同様であり、同一の構成については同一の参照番号を附し、説明を省略する。
【０１２３】
アドレス情報提供装置１７０１が、図１０に示す第１の実施の形態におけるアドレス情報提供装置３０５と異なる点は、情報読出処理部１７０２が、所定の条件に基づいて複数のアドレス情報から少なくとも一つのアドレス情報を選択する機能をさらに有すること、および情報読出処理部１７０２に現在時刻を提供する計時部１７０３と、アドレス情報の送信回数を提供するカウンタ部１７０４とをさらに有している点が異なっている。
【０１２４】
図１９、図２０は本実施の形態における情報記憶部９０３内のデータ構成を示す図である。図１９は、所定の条件として時刻を用いた場合のデータ構成例を示し、図２０は所定の条件としてアドレス情報の送信回数を用いた場合のデータ構成例を示している。
【０１２５】
図１９において、情報記憶部９０３には複数のレコード１８０１〜１８０５が記憶されている。各レコードの内容は、図９に示すレコード８００と同様であり、各レコードがアドレス情報８０５を有している。
【０１２６】
また、各レコードには選択条件１８０１ｃｎｄ〜１８０５ｃｎｄが対応付けられて記憶されている。図に示す例では、現在時刻が１０：００〜１２：００までであればレコード１８０１が情報読出処理部１７０２により選択され、現在時刻が１２：００〜１３：００までであればレコード１８０２が情報読出処理部１７０２により選択され、現在時刻が１３：００〜１７：００までであればレコード１８０３が情報読出処理部１７０２により選択され、現在時刻が１７：００〜２１：００までであればレコード１８０４が情報読出処理部１７０２により選択され、それ以外の時刻であればレコード１８０５が選択されることとなる。
【０１２７】
同様に、図２０において、情報記憶部９０３には複数のレコード１９０１〜１９０５が記憶されているものとする。各レコードの内容は、図９に示すレコード８００と同様であり、各レコードがアドレス情報８０５を有している。
【０１２８】
各レコードには選択条件１９０１ｃｎｄ〜１９０５ｃｎｄが対応付けられて記憶されている。カウンタ部１７０４は、情報読出処理部１７０２が、情報記憶部から読み出しを行う毎にカウンタ値をインクリメントする。情報読出処理部１７０２は、カウンタ部１７０４から提供される値が、選択条件に記載された値より少ない場合そのレコードの選択を行い、図に示す例では、カウンタ部１７０４から提供される値が選択条件に記載された値を超えた場合は、次のレコードを選択する。
【０１２９】
図に示す例では、カウンタ部１７０４から提供される値（アドレス情報の送信回数に一致する）が１００を越えるまでは、情報読出処理部１７０２はレコード１９０１を選択しつづけ、カウンタ部から提供される値が１００を越えて１０００を越えるまでは、情報読出処理部１７０２はレコード１９０２を選択しつづけ、カウンタ部から提供される値が１０００を越えた場合は、リセットなどされない限りレコード１９０３を選択し続けることとなる。
【０１３０】
図２１は、情報読出処理部１７０２の処理動作を示すフローチャートである。なお、このフローチャートに示す例は、選択条件として用いる条件は、アドレス情報の送信回数と時刻の２種類のみであり、また同一のアドレス情報提供装置に使用される選択条件は同一であるものとし、アドレス情報の送信回数と時刻が混在することはないものとする。
【０１３１】
情報読出処理部１７０２は、情報閲覧者側端末装置３０４からアドレス情報送信要求を受けると、情報記憶部９０３に記憶されているレコードを読む（ステップＳ２００１）。
【０１３２】
次に、読み出したレコードに選択条件が付されているか否かを判断する（ステップＳ２００２）。選択条件が付されていない場合は、読み出したデータを情報閲覧者側端末装置３０４に送信する。
【０１３３】
ステップＳ２００２において選択条件が付されている場合は、さらにその選択条件が読出回数か否かを判断する（ステップＳ２００３）。選択条件がアドレス情報の送信回数であると判断した場合は、カウンタ部１７０４よりカウント値を取得し（ステップＳ２００４）、情報記憶部に記憶されているレコードから取得したカウント値に適したレコードを選択し（ステップＳ２００５）、そのレコードの内容を情報閲覧者側端末装置３０４に送信する（ステップＳ２００９）。
【０１３４】
一方、ステップＳ２００３において、選択条件がアドレス情報の送信回数でないと判断した場合は、選択条件は時刻であると判定し（ステップＳ２００６）、計時部１７０３から現在時刻を取得し（ステップＳ２００７）、現在時刻に合致する選択条件を有するレコードを選択し（ステップＳ２００８）、そのレコードの内容を情報閲覧者側端末装置３０４に送信する（ステップＳ２００９）。
【０１３５】
選択条件は、情報提供者側端末装置３０３により、アドレス情報とともにアドレス情報提供装置３０５に渡される。
【０１３６】
図２２は、選択条件をアドレス常用提供装置３０５に渡す場合の、情報提供者側端末装置３０３に表示される入力画面例である。図２２（Ａ）によって、情報提供者はアドレス情報提供装置に送信するアドレス情報の数を定めるとともに、選択条件を時刻にするか、送信回数にするか、あるいは選択条件を用いないかを入力するようになっている。図２２（Ｂ）は図２２（Ａ）に続く画面であって、アドレス情報および選択条件を入力する画面である。この入力画面により入力されたデータは、図１９、図２０に示すようなデータとして情報記憶部９０３に記憶される。
【０１３７】
［第１及び第２の実施の形態にかかる変形例］
前述の第１及び第２の実施の形態においては、アドレス情報提供装置３０５が情報閲覧者側端末装置３０４に送信するアドレス情報は一つである必要はない。アドレス情報提供装置３０５が同時に２以上のアドレス情報を情報閲覧者側端末装置３０４に送信し、情報閲覧者にいずれかを選択させる構成としても良い。
【０１３８】
図２３は、２以上のアドレス情報を情報閲覧者側端末装置３０４に送信し、情報閲覧者にいずれかを選択させる構成とした場合の、画面例を示す図である。
【０１３９】
図２３（Ａ）は、情報提供者側端末装置３０２の入力画面例である。この例では、３つのアドレス情報が入力可能となっている。
【０１４０】
図２３（Ｂ）は、図２３（Ａ）の入力画面から３つのアドレス情報が入力された場合において、アドレス情報提供装置３０５から３つのアドレス情報を受け取り、これらを表示した場合の画面例を示している。この画面には３つのアドレス情報に対応する３つのハイパーリンクが埋め込まれており、いずれかのハイパーリンクを活性化させることで、情報配信装置３０２から対応する情報を情報閲覧者側端末装置３０４が取得することとなる。
【０１４１】
本変形例によれば、ユーザに選択権を与えることによって、よりユーザ満足度の高い情報提供方法を提供することが可能となる。
【０１４２】
【発明の効果】
複数のアドレス情報提供装置が近接して配置されていてもユーザが簡単に所望のアドレス情報提供装置からアドレス情報を取得して、このアドレス情報に基づいて通信網から情報を取得することができる。
【０１４３】
通信網環境のない場所においても使用可能なアドレス情報提供装置を用いるため、任意の場所に情報配信の起点を配置可能な情報提供システムを構築することができる。
【図面の簡単な説明】
【図１】本発明を説明するための概略概念図である。
【図２】通信網の構成例を示す図である。
【図３】アドレス情報提供装置と展示物との位置関係を説明するための図である。
【図４】情報提供システムの構成例を示すブロック図である。
【図５】管理装置の構成例を示すブロック図である。
【図６】情報提供者情報記憶部に記憶される情報のデータ構成例を示す図である。
【図７】アドレス情報提供装置情報記憶部によって記憶されるデータの構成例を示す図である。
【図８】情報提供者側端末装置の構成例を示すブロック図である。
【図９】アドレス情報生成部によって生成され、送受信部を介してアドレス情報提供装置に送信されるデータの構成例を示す図である。
【図１０】アドレス情報提供装置の構成例を示す機能ブロック図である。
【図１１】情報閲覧者側端末装置の構成例を示す機能ブロック図である。
【図１２】情報提供者に関する情報を管理装置に登録する場合の動作例を示すシーケンス図である。
【図１３】アドレス情報提供装置へのアドレス情報の書込処理におけるシーケンス図である。
【図１４】１４（Ａ）および１４（Ｂ）は、情報提供者側端末装置の表示部に表示される起動画面例であり、１４（Ｃ）は、アドレス情報などの入力を促す入力画面例である。
【図１５】１５（Ａ）は、オペレータに送信を確認するための画面例であり、１５（Ｂ）は、管理装置に対する通知送信を情報提供者側端末装置のオペレータに確認するための画面例であり、１５（Ｃ）は、情報の書込処理の終了を情報提供者側端末装置のオペレータに知らせる画面例を示す図である。
【図１６】アドレス情報提供装置からのアドレス情報の読み出し、およびアドレス情報に基づく情報の取得処理における本情報提供システムのシーケンス図である。
【図１７】１７（Ａ）は、情報閲覧者側端末装置の表示部に表示される画面例を示す図である。１７（Ｂ）は、１７（Ａ）に続く情報閲覧者側端末装置の表示部に表示される画面例を示す図である。
【図１８】第２の実施の形態にかかるアドレス情報提供装置の構成例を示す機能ブロック図である。
【図１９】情報記憶部内のデータ構成を示す図である。
【図２０】情報記憶部内のデータ構成を示す図である。
【図２１】情報読出処理部の処理動作を示すフローチャートである。
【図２２】２２（Ａ）は、情報提供者側端末装置に表示される入力画面例を示す図であり、２２（Ｂ）は２２（Ａ）に続く画面であって、アドレス情報および選択条件を入力する画面を示す図である。
【図２３】２以上のアドレス情報を情報閲覧者側端末装置に送信し、情報閲覧者にいずれかを選択させる構成とした場合の、画面例を示す図である。
【符号の説明】
３００　…　通信網
３０１　…　管理装置
３０２　…　情報配信装置
３０３　…　情報提供者側端末装置
３０４　…　情報閲覧者側端末装置
３０５　…　アドレス情報提供装置
４０３　…　情報提供者認証部
４０４　…　アドレス情報提供装置情報管理部
４０５　…　アクセスログ取得部
７０１、９０１、１００１　…　送受信部
【図１】
2004078277.tif 000003
【図２】
2004078277.tif 000004
【図３】
2004078277.tif 000005
【図４】
2004078277.tif 000006
【図５】
2004078277.tif 000007
【図６】
2004078277.tif 000008
【図７】
2004078277.tif 000009
【図８】
2004078277.tif 000010
【図９】
2004078277.tif 000011
【図１０】
2004078277.tif 000012
【図１１】
2004078277.tif 000013
【図１２】
2004078277.tif 000014
【図１３】
2004078277.tif 000015
【図１４】
2004078277.tif 000016
【図１５】
2004078277.tif 000017
【図１６】
2004078277.tif 000018
【図１７】
2004078277.tif 000019
【図１８】
2004078277.tif 000020
【図１９】
2004078277.tif 000021
【図２０】
2004078277.tif 000022
【図２１】
2004078277.tif 000023
【図２２】
2004078277.tif 000024
【図２３】
2004078277.tif 000025